(57)【要約】      （修正有）【課題】螺合部とパッキング部を有するナットを提供する。【解決手段】ナット１００は螺合部１１０およびパッキング部１２０を備える。螺合部１１０は、ナット１００の一端に設けられており、ネジ軸を締め付けるようにネジ山付内壁１１１を有する。パッキング部１２０は、螺合部１１０から延伸してナット１００の他端に設けられており、壁厚が螺合部１１０の壁厚よりも小さく形成されており、外壁が螺合部１１０の外壁に接する。【選択図】図１
0003195841.tif 000002
【実用新案登録請求の範囲】
【請求項１】
螺合部およびパッキング部を備えるナットであって、
前記螺合部は、前記ナットの一端に設けられており、ネジ軸を締め付けるようにネジ山付内壁を有し、
前記パッキング部は、前記螺合部から延伸して前記ナットの他端に設けられており、壁厚が前記螺合部の壁厚より小さくなるよう形成されており、外壁が前記螺合部の外壁に接することを特徴とするナット。
【請求項２】
六角形であることを特徴とする請求項１に記載のナット。
【請求項３】
四角形であることを特徴とする請求項１に記載のナット。
【請求項４】
前記パッキング部の内壁に設けられている応力検出部材をさらに備えることを特徴とする請求項１に記載のナット。
【請求項５】
螺合部およびパッキング部を備えるナットであって、
前記螺合部は、ネジ軸を締め付けるように前記ナットと同軸である少なくとも１つの凹溝が凹設されているネジ山付内壁を有し、前記ナットの一端に設けられており、
前記パッキング部は、前記螺合部から延伸して前記ナットの他端に設けられており、壁厚が前記螺合部の壁厚より小さくなるよう形成されており、外壁が前記螺合部の外壁に接することを特徴とするナット。
【請求項６】
六角形であることを特徴とする請求項５に記載のナット。
【請求項７】
四角形であることを特徴とする請求項５に記載のナット。
【請求項８】
前記凹溝は、２つであり、互いに対称であるよう前記ネジ山付内壁に設けられていることを特徴とする請求項５に記載のナット。
【請求項９】
前記凹溝に設けられている応力検出部材をさらに備えることを特徴とする請求項５に記載のナット。
【請求項１０】
前記パッキング部の内壁に設けられている応力検出部材をさらに備えることを特徴とする請求項５のナット。
【考案の詳細な説明】
【技術分野】
【０００１】
本考案は、ナットに関し、特に、緩み止めナットに関する。
【背景技術】
【０００２】
ネジとナットとの互いの締め付けによって２つの対象物を組み付けることは、機械、家具、車両、ランプなどの様々な物品、装置、設備等に広く適用される。
【考案の概要】
【考案が解決しようとする課題】
【０００３】
しかしながら、前記２つの対象物が例えば行進中の車両、運転中の機械設備などによる振動環境にある場合、ネジとナットとの間の締め付けに予期しない緩みが発生しやすく、これにより、前記２つの対象物が強固な組み付け状態を保持することができなく、設備等が正常に運転することができなく、ひいては設備等が損壊する或いは関連操作者の個人の安全が脅かされるおそれがある。
【０００４】
ネジとナットとの緩みを防止するために、ナットと固定するつもりのある物体の中にスペーサーを増設することが多く、このことは、ネジとナットとの締め付け状態を維持することに寄与するが、部品数の増加が在庫管理に不利で組み立て効率を低下させる。
本考案の目的は、螺合部とパッキング部を有するナットを提供することにある。
【課題を解決するための手段】
【０００５】
本考案の一態様によれば、ナットは螺合部およびパッキング部を備える。螺合部は、ナットの一端に設けられており、ネジ軸を締め付けるようにネジ山付内壁を有する。パッキング部は、螺合部から延伸してナットの他端に設けられており、壁厚が螺合部の壁厚より小さくなるよう形成されており、外壁が螺合部の外壁に接する。
【０００６】
のナットによれば、六角形又は四角形であってもよく、パッキング部の内壁に設けられることが可能である応力検出部材をさらに備えてもよい。
【０００７】
本考案の別の態様によれば、ナットは螺合部およびパッキング部を備える。螺合部は、ネジ軸を締め付けるようにナットと同軸である少なくとも１つの凹溝が凹設されているネジ山付内壁を有し、ナットの一端に設けられている。パッキング部は、螺合部から延伸してナットの他端に設けられており、壁厚が螺合部の壁厚より小さくなるよう形成されており、外壁が螺合部の外壁に接する。
【０００８】
本稿案のナットによれば、六角形又は四角形であってもよい。凹溝は、２つでもよく、この２つの凹溝がネジ山付内壁に対称的に設けられる。ナットは、凹溝又はパッキング部の内壁に設けられることが可能である応力検出部材をさらに含んでもよい。
【０００９】
本考案では、パッキング部に発生した変形によって、ナットに固定される対象物との間のパッキング程度を強化し、ネジとナットとの締め付け状態を維持することができる。また、螺合部とパッキング部とは、一体成形されており、これによって、スペーサーを別に増設せずに、効果的にネジとナットとの緩みを防止することができるため、在庫管理に寄与し組み立て効率を向上させることができる。
【図面の簡単な説明】
【００１０】
【図１】本考案の第一実施形態によるナットを示す斜視図である。
【図２】図１におけるナットを示す断面模式図である。
【図３】図１におけるナットの使用状態を示す断面模式図である。
【図４】本考案の第二実施形態によるナットを示す斜視図である。
【図５】本考案の第三実施形態によるナットを示す斜視図である。
【考案を実施するための形態】
【００１１】
上記図面の簡単な説明は、本考案の前記または他の目的、特徴、メリット、実施形態をより分かりやすくするためのものである。
（第一実施形態）
図１に基づいて説明する。図１は、本考案の第一実施形態によるナット１００を示す斜視図である。ナット１００は、螺合部１１０とパッキング部１２０を含み、螺合部１１０がナット１００の一端に設けられ、ネジ軸（図示せず）を締め付けるようにネジ山付内壁１１１を有し、パッキング部１２０が螺合部１１０から延伸してナット１００の他端に設けられる。言い換えると、螺合部１１０とパッキング部１２０とは、一体成形される。ナット１００は、本実施例において、六角形であり、即ち六角ナットであり、且つ六角レンチによってロックされてもよく、他の実施例において、四角形又は必要に応じて他の形状に製作されてもよい。
【００１２】
図２に基づいて説明する。図２は、図１におけるナット１００を示す断面模式図である。図２から分かるように、パッキング部１２０の壁厚ｄ２が螺合部１１０の壁厚ｄ１よりも小さく形成されており、これによって、パッキング部１２０が外力を受ける時に変形しやすい。パッキング部１２０の外壁１２２は、螺合部１１０の外壁１１２に接し、前記『接する』がパッキング部１２０の外壁１２２と螺合部１１０の外壁１１２が同一の平面にあることを指し、これによって、ナット１００が大きな受力面積を提供することができ、例えばレンチのようなロック工具（図示せず）がナット１００をロックすることに寄与する。
【００１３】
図３に基づいて説明する。図３は、図１におけるナット１００の使用状態を示す断面模式図である。ナット１００を用いてネジ２００と合わせて対象物３００と対象物４００を組み合わせる場合、まずネジ２００のネジ軸２１０を順次に対象物４００の貫通孔４１０、対象物３００の貫通孔３１０、ナット１００のパッキング部１２０を通り抜けさせ、且つナット１００のネジ山付内壁１１１でネジ軸２１０と締め付けて、パッキング部１２０が対象物３００に当接される時に締め付け動作を続けて、壁厚ｄ２の小さいパッキング部１２０を変形させて、これによって、ナット１００と対象物３００との間のパッキング程度を向上させることができ、さらにネジ２００とナット１００との締め付け状態を維持することに寄与する。螺合部１１０とパッキング部１２０とは、一体成形し、これによって、スペーサーを別に増設せずに、効果的にネジ２００とナット１００との緩みを防止することができるため、在庫管理に寄与し組み立て効率を向上させる。
【００１４】
（第二実施形態）
図４に基づいて説明する。図４は、本考案の第二実施形態によるナット１００を示す斜視図である。ナット１００は、パッキング部１２０の内壁１２１に設けられる応力検出部材１３０をさらに含む。パッキング部１２０の壁厚ｄ２が螺合部１１０の壁厚ｄ１よりも小さく形成されており、パッキング部１２０の外壁１２２が螺合部１１０の外壁１１２に接し、ナット１００とネジ軸２１０（図３参照）を締め付けた後に、パッキング部１２０の内壁１２１とネジ軸２１０との間に空間（図３参照）を有するため、応力検出部材１３０の設置に寄与する。これによって、ナット１００は、応力検出部材１３０を収納する収納空間を別に加工し製作する必要がないため、ナット１００の製作工程と時間コストを簡略化することができる。
【００１５】
（第三実施形態）
図５に基づいて説明する。図５は、本考案の第三実施形態のナット１００を示す斜視図である。
【００１６】
ナット１００のネジ山付内壁１１１に２つの凹溝１１３（図面ではその中の１つだけを示す）が凹設され、２つの凹溝１１３は、いずれもナット１００と同軸であり、ネジ山付内壁１１１に対称的に設けられ、これによって、ナット１００の径方向における変形に寄与し、さらにナット１００とネジ軸２１０（図３参照）との間の締め付けの緩み程度を強化することができる。ナット１００は、パッキング部１２０の内壁１２１又はネジ山付内壁１１１の凹溝１１３に弾性的に設けられてもよい応力検出部材１３０（図４参照）をさらに含む。これによって、ナット１００は、応力検出部材１３０を収納する収納空間を別に加工し製作する必要がないため、ナット１００の製作工程と時間コストを簡略化することができる。
【００１７】
本考案の実施形態を前述の通り説明したが、これは本考案を限定するためのものではなく、当業者であれば、本考案の技術思想と範囲から逸脱しない限り、各種の変更や修正を加えることができる。従って、本考案の保護範囲は、実用新案登録請求の範囲で指定した内容を基準とするものである。
【符号の説明】
【００１８】
１００  ナット、
１１０  螺合部、
１１１  ネジ山付内壁、
１１２  外壁、
１１３  凹溝、
１２０  パッキング部、
１２１  内壁、
１２２  外壁、
１３０  応力検出部材、
２００  ネジ、
２１０  ネジ軸、
３００  対象物、
３１０  貫通孔、
４００  対象物、
４１０  貫通孔、
ｄ１  壁厚、
ｄ２  壁厚。
【図１】
0003195841.tif 000003
【図２】
0003195841.tif 000004
【図３】
0003195841.tif 000005
【図４】
0003195841.tif 000006
【図５】
0003195841.tif 000007